(57)【要約】【課題】運転席乗員の利便性を維持しつつ、かつ、運転席乗員が車両前方の交通状況を認識できない方向に顔を向けることを抑制可能な情報提供装置を提供する。【解決手段】車載システム１は、運転席の斜め前方も含む前方領域に配置されたディスプレイ１５の表示画面を制御するＨＣＵ１０と、自動運転機能を提供する車両制御ＥＣＵ１２と、運転席の顔向き等を検出するＤＳＭ１３と、携帯端末３と通信するための近距離通信部１７とを備える。ＨＣＵ１０は、車両の運転モードが自動運転モードとなっている場合、ＤＳＭ１３の検出結果に基づいて運転席乗員がサブタスクを実行しているか否かを判定する。サブタスクを実行していると判定した場合には、サブタスクに対応する画面をディスプレイ１５に表示する。【選択図】図１
2017222271.tif 000002
【特許請求の範囲】
【請求項１】
車両の加速、制動、及び操舵を自動で実行する自動運転機能を提供する車両制御装置が搭載された車両で用いられ、
前記車両制御装置と相互通信を実施することで、前記車両の運転モードが、前記車両制御装置が前記車両を自動走行させる自動運転モードであるか、運転席の乗員が運転操作を実施する手動運転モードであるかを判定する運転モード判定部（Ｆ３）と、
前記車両の正面方向を向いている運転席乗員の視界に含まれる位置に設置されている運転席用ディスプレイの表示画面を制御する表示処理部（Ｆ１）と、
車室内に存在する情報端末と通信を実施するための車室内通信モジュールを介して、前記乗員が車室内に持ち込んだ前記情報端末と通信を実施する車室内通信処理部（Ｆ７）と、
前記車室内通信処理部との通信している前記情報端末の動作を制御する端末制御部（Ｆ８）と、を備え、
前記端末制御部は、
前記情報端末で動作中のアプリケーションソフトウェアに対応する画像であるアプリ画像を取得するとともに、
前記車両に搭載された入力装置に対する前記乗員の操作に基づいて、前記情報端末に対する前記乗員の指示操作を受け付けて、当該指示操作に対応する処理を前記情報端末に実行させるものであって、
前記表示処理部は、前記運転モード判定部によって前記車両の運転モードが自動運転モードであると判定されている場合に、前記アプリ画像をサブタスク画面として前記運転席用ディスプレイに表示することを特徴とする車両用表示制御装置。
【請求項２】
請求項１において、
運転席に着座する乗員の顔部を撮像するように、車室内において運転席に対向する領域に設けられたカメラの撮像画像に基づいて、前記乗員の顔の向きを示す情報を逐次取得する顔向き取得部（Ｆ４）と、
前記運転モード判定部によって運転モードが自動運転モードであると判定されている場合に前記顔向き取得部が取得した前記乗員の顔の向きに基づいて、前記運転席乗員が車室内に持ち込んだツールを用いたサブタスクを実行しているか否かを判定するタスク判定部（Ｆ５）と、を備え、
前記表示処理部は、前記タスク判定部によって前記乗員がサブタスクを実行していると判定した場合に、前記アプリ画像をサブタスク画面として前記運転席用ディスプレイに表示することを特徴とする車両用表示制御装置。
【請求項３】
請求項２において、
広域通信網に無線アクセスするための広域通信モジュールを介して、前記広域通信網に接続する外部装置とデータの送受信を実施する広域通信処理部（Ｆ６）と、
前記車室内通信処理部が通信を実行している前記情報端末が存在しない場合において、前記タスク判定部が前記運転席乗員は前記サブタスクを実行していると判定した場合に、前記入力装置に対する前記乗員の操作に基づいて、前記サブタスクの内容を示すサブタスク情報を取得するサブタスク情報取得部（Ｓ１２４、Ｓ２２２）と、
前記サブタスク情報取得部が取得した前記サブタスク情報を検索ワードとして、前記広域通信網に接続している所定のデータベースから、前記サブタスク情報に対応するデジタルコンテンツのデータを取得するコンテンツデータ取得部（Ｆ９）と、
前記表示処理部は、前記コンテンツデータ取得部が取得した前記デジタルコンテンツに対応する画像を、前記運転席用ディスプレイに前記サブタスク画面として表示することを特徴とする車両用表示制御装置。
【請求項４】
請求項２又は３において、
前記タスク判定部は、車両正面方向に対して所定の角度以上、下方向又は助手席が配置されている方向に前記乗員が顔を向けた状態が一定時間継続した場合に、前記乗員は前記サブタスクを実行していると判定することを特徴とする車両用表示制御装置。
【請求項５】
請求項１から４の何れか１項において
前記表示処理部は、運転モードが前記手動運転モードから前記自動運転モードに遷移した場合に前記アプリ画像を前記運転席用ディスプレイに表示することを特徴とする車両用表示制御装置。
【請求項６】
請求項５において、
前記表示処理部は、運転モードが前記自動運転モードとなった時点において前記車室内通信処理部が前記情報端末を検出できていない場合には、前記情報端末と前記車室内通信モジュールとの通信接続を案内する接続ガイド画面を表示することを特徴とする車両用表示制御装置。
【請求項７】
請求項１から４の何れか１項において、
前記表示処理部は、運転モードが前記自動運転モードとなった時点において前記車室内通信処理部が前記情報端末を検出できていない場合には、車室内において前記乗員が利用可能な機能の一覧を表したメニュー画面を前記運転席用ディスプレイに表示することを特徴とする車両用表示制御装置。
【請求項８】
請求項１から７の何れか１項において、
前記運転席用ディスプレイは、インストゥルメントパネルにおいて運転席と対向する領域である運転席対向領域に設けられたメータディスプレイ、インストゥルメントパネルの者は幅方向中央部に設けられたセンターディスプレイ、ウインドシールドにおいて運転席と対向する領域に虚像を映し出すヘッドアップディスプレイの何れかであることを特徴とする車両用表示制御装置。
【発明の詳細な説明】
【技術分野】
【０００１】
本発明は、車両に搭載されたディスプレイの表示画面を制御する車両用表示制御装置に関する。
【背景技術】
【０００２】
近年、車両の運転操作を自動的に実施する技術（つまり自動運転技術）の実用化が目指されている。便宜上、自動運転技術によって車両を自動的に走行させる機能を自動運転機能と称し、当該自動運転機能を提供する電子制御装置のことを車両制御装置と称する。車両制御装置は、ユーザによって設定された走行経路に沿って車両が走行するように、操舵、加速、制動等を実施する。
【０００３】
そのような車両制御装置が搭載された車両は、運転モードとして、車両制御装置によって車両を自動走行させる自動運転モードと、運転席の乗員が運転操作を実施する手動運転モードとを備える。手動運転モードから自動運転モードに移行するということは、車両の走行を制御する権限（以降、運転権限）を運転席の乗員が車両側制御装置に移譲することを意味する。また、自動運転モードから手動運転モードに移行するということは、車両側制御装置が運転権限を運転席乗員に移譲することを意味する。
【０００４】
車両制御装置から運転席の乗員への権限移譲は、運転席乗員が運転操作を実行可能な状態であることを、車両に搭載されたシステム（以降、車載システム）が確認した上で実施される必要がある。仮に運転席乗員が運転操作を実行不能な状態（例えば仮眠中）となっている場合に車両制御装置が運転席乗員に運転権限を渡してしまうと、車両が制御不能な状態となる恐れがあるからである。
【０００５】
なお、運転席乗員の状態は、例えば特許文献１に開示されている方法によって特定することができる。特許文献１では、遠赤外カメラ等を用いて運転席乗員の顔表面の温度分布を表す遠赤外画像を撮影し、当該撮像画像に基づいて運転席乗員の異常状態を検出する。便宜上、運転席乗員の状態をセンシングするための画像を撮影するカメラのことを状態監視カメラと称する。状態監視カメラは、運転操作を実施するための姿勢をとっている運転席乗員の顔部を略正面から撮像するように、メータパネル上や、ステアリングコラムカバーの上などに配置される。
【先行技術文献】
【特許文献】
【０００６】
【特許文献１】特開２０１６−５７９４４号公報
【発明の概要】
【発明が解決しようとする課題】
【０００７】
状態監視カメラを用いて運転席乗員の状態を検出するためには、運転席乗員はカメラが設けられている方向（換言すれば車両の正面方向）に顔を向けている必要がある。しかしながら、車両が自動運転モードで走行している場合、運転席乗員は、車両に持ち込んだ情報端末を操作して、メールや、ゲーム、ウェブブラウジング、動画鑑賞、電子書籍の閲覧等といったサブタスクを実施することが考えられる。なお、前述の情報端末とは、例えば、スマートフォンやタブレット端末である。
【０００８】
これらの情報端末は、運転席乗員の好きな場所に配置して操作できるため、例えば運転席乗員が情報端末を膝の上や助手席などに置いて操作する場合もある。そのように運転席乗員が情報端末を膝の上等に置いた状態で操作している場合、運転席に着座している運転席乗員の顔は、車両正面方向に対して相対的に下方向や横方向を向きがちとなる。そのように運転席乗員の顔が車両正面方向以外の方向を向いていると、運転席乗員の顔部を撮像量が低減し、運転席乗員の状態の検出精度が低下したり、検出不能となったりする場合がある。
【０００９】
また、運転席乗員が運転権限を車両制御装置から取得して運転操作を実行するためには、運転席乗員が予め自車両周辺の交通状況（特に前方）を認識している必要がある。そのため、車両が自動運転モードで走行している場合であっても、運転席乗員は車室外の前方領域を視界に含むような姿勢をとっていることが好ましい。
【００１０】
本発明は、この事情に基づいて成されたものであり、その目的とするところは、運転席乗員の利便性を維持しつつ、かつ、運転席乗員が車両前方の交通状況を認識できない方向に顔を向けることを抑制可能な情報提供装置を提供することにある。
【課題を解決するための手段】
【００１１】
その目的を達成するための本発明は、車両の加速、制動、及び操舵を自動で実行する自動運転機能を提供する車両制御装置が搭載された車両で用いられ、車両制御装置と相互通信を実施することで、車両の運転モードが、車両制御装置が車両を自動走行させる自動運転モードであるか、運転席の乗員が運転操作を実施する手動運転モードであるかを判定する運転モード判定部（Ｆ３）と、車両の正面方向を向いている運転席乗員の視界に含まれる位置に設置されている運転席用ディスプレイの表示画面を制御する表示処理部（Ｆ１）と、車室内に存在する情報端末と通信を実施するための車室内通信モジュールを介して、乗員が車室内に持ち込んだ情報端末と通信を実施する車室内通信処理部（Ｆ７）と、車室内通信処理部との通信している情報端末の動作を制御する端末制御部（Ｆ９）と、を備え、端末制御部は、情報端末で動作中のアプリケーションソフトウェアに対応する画像であるアプリ画像を取得するとともに、車両に搭載された入力装置に対する乗員の操作に基づいて、情報端末に対する乗員の指示操作を受け付けて、当該指示操作に対応する処理を情報端末に実行させるものであって、表示処理部は、運転モード判定部によって車両の運転モードが自動運転モードであると判定されている場合に、アプリ画像をサブタスク画面として運転席用ディスプレイに表示することを特徴とする。
【００１２】
以上の構成によれば、車両の運転モードが自動運転モードとなっている場合、乗員が持ち込んだ情報端末で動作中のアプリケーションソフトウェアに対応する画像（つまりアプリ画像）が、運転席用ディスプレイに表示される。ここでの運転席用ディスプレイは、車両の正面方向を向いている運転席乗員の視界に含まれる位置に設置されたディスプレイである。そのため、運転席乗員が運転席用ディスプレイを見ている場合であっても、車両前方の交通状況を有効視野や安定注視野といった視界に捉えた状態を維持することができる。
【００１３】
また、運転席乗員は、情報端末が備えるディスプレイの代わりに、運転席用ディスプレイを見ることで、情報端末が備える情報を参照することができる。つまり、以上の構成によれば、運転席乗員の利便性を維持しつつ、かつ、運転席乗員が車両前方の交通状況を認識できない方向に顔を向けることを抑制することができる。
【００１４】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１５】
【図１】車載システム１の概略的な構成の一例を示すブロック図である。
【図２】ディスプレイ１５の配置箇所の一例を示すブロック図である。
【図３】ＨＣＵ１０の概略的な構成を示すブロック図である。
【図４】ＨＣＵ１０が実施するモード遷移時表示処理に対応するフローチャートである。
【図５】ＨＣＵ１０が実施するサブタスク画面提供処理に対応するフローチャートである。
【図６】変形例２における車載システム１の概略的な構成を示すブロック図である。
【図７】タスク情報入力画面の一例を示すブロック図である。
【発明を実施するための形態】
【００１６】
以下、本発明の実施形態について図を用いて説明する。図１は、本発明に係る車両用表示制御装置としての機能を備える車載システム１の概略的な構成の一例を示す図である。車載システム１は車両に搭載されており、図１に示すように、ＨＣＵ１０、広域通信部１１、車両制御ＥＣＵ１２、ＤＳＭ１３、入力装置１４、ディスプレイ１５、インジケータ１６、及び近距離通信部１７を備える。なお、ＨＣＵは、HMI（Human Machine Interface） Control Unitの略であり、ＤＳＭはDriver Status Monitorの略である。
【００１７】
広域通信部１１、車両制御ＥＣＵ１２、ＤＳＭ１３、入力装置１４、ディスプレイ１５、インジケータ１６、及び近距離通信部１７のそれぞれは、車両内に構築された通信ネットワーク（以降、ＬＡＮ：Local Area Network）を介して、ＨＣＵ１０と相互通信可能に接続されている。以降では便宜上、車載システム１が搭載されている車両のことを自車両とも記載する。
【００１８】
ＨＣＵ１０は、ＣＰＵ、ＲＡＭ、ＲＯＭ、フラッシュメモリ、Ｉ／Ｏ、及びこれらの構成を接続するバスラインなどを備えた、コンピュータとして構成されている。ＣＰＵは種々の演算処理を実施するものであって、例えばマイクロプロセッサ等を用いて実現される。ＲＡＭは揮発性のメモリであり、ＲＯＭは不揮発性のメモリである。Ｉ／Ｏは、ＨＣＵ１０が、広域通信部１１等とデータの入出力をするためのインターフェースである。Ｉ／Ｏは、ＩＣやデジタル回路素子、アナログ回路素子などを用いて実現されればよい。
【００１９】
ＨＣＵ１０が備えるＲＯＭには、通常のコンピュータをＨＣＵ１０として機能させるためのプログラム（以降、表示制御プログラム）等が格納されている。なお、上述の表示制御プログラムは、非遷移的実体的記録媒体（non- transitory tangible storage medium）に格納されていればよい。ＣＰＵが表示制御プログラムを実行することは、表示制御プログラムに対応する方法が実行されることに相当する。
【００２０】
ＨＣＵ１０は、ＣＰＵが表示制御プログラムを実行することによって、後述する種々の機能を提供する。またに、それらの機能を協働させることによって後述するモード遷移時表示処理や、サブタスク画面提供処理を実行する。
【００２１】
広域通信部１１は、広域通信網に無線アクセスし、車載システム１が広域通信網に接続している他の通信装置（例えば検索サーバ２）と通信するための通信モジュールである。例えば、広域通信部１１は、ＨＣＵ１０から入力されたデータを変調して、検索サーバ２に送信する。また、検索サーバ２から送信されたデータを受信してＨＣＵ１０に提供する。広域通信部１１が請求項に記載の広域通信モジュールに相当する。
【００２２】
なお、ここでの広域通信網とは、携帯電話網やインターネット等の、電気通信事業者によって提供される公衆通信ネットワークを指す。検索サーバ２は、インターネット上の情報を検索するサーバである。検索サーバ２は、車載システム１からの要求に基づいて検索処理を実施し、その検索結果を返送する。
【００２３】
車両制御ＥＣＵ１２は、乗員によって設定された走行予定経路に沿って自車両が走行するように、操舵、加速、制動等を自動的に実行する機能（つまり自動運転機能）を提供する電子制御装置（ＥＣＵ：Electronic Control Unit）である。運転席乗員の操作に基づいて自動運転機能が動作するように設定されている場合、車両制御ＥＣＵ１２は、走行予定経路に沿って自車両が走行するように、操舵、加速、制動を自動的に実行する。操舵、加減速等の制御は、制御対象とするアクチュエータやモータに向けて、制御目標値を示す制御信号を出力することによって実現されればよい。車両制御ＥＣＵ１２が請求項に記載の車両制御装置に相当する。
【００２４】
便宜上、車両制御ＥＣＵ１２によって自車両が自動的に走行する運転モードのことを自動運転モードと記載し、手動運転によって自車両が走行する運転モードのことを手動運転モードとも記載する。つまり、自車両は運転モードとして、自動運転モードと手動運転モードを備える。
【００２５】
ここでの手動運転とは、完全な手動運転に限らない。運転操作の一部（例えば速度制御）を車両制御ＥＣＵ１２が運転席乗員の代わりに実行する態様も含む。車両制御ＥＣＵ１２は、現在の運転モードを示すモード情報をＨＣＵ１０に提供する。
【００２６】
なお、自動運転機能による走行（つまり自動走行）が実施される条件は、適宜設計されれば良い。例えば、所定の自動走行条件が充足されてあって、かつ、乗員によって自動走行の開始が指示された場合（換言すれば運転席乗員から車両制御ＥＣＵ１２に運転権限が移譲された場合）とすればよい。
【００２７】
上述の自動走行条件の具体的な内容は適宜設計されれば良い。例えば、測位衛星から送信される航法メッセージに基づいて自車両の現在位置を測位できており、かつ、自車両周辺の交通状況を認識するための周辺監視装置が正常に動作している場合とすればよい。なお、周辺監視装置とは、例えばＬＩＤＡＲなどの測距センサや、車室外を撮影するように設置されたカメラ、他の車両と相互通信を実施する車車間通信装置などである。
【００２８】
ＤＳＭ１３は、近赤外光源、近赤外カメラ、及びそれらを制御する制御ユニット等を用いて実現されている。ＤＳＭ１３は、近赤外光源によって近赤外光を照射された運転席乗員の顔を、近赤外カメラによって撮影する。ＤＳＭ１３は、近赤外カメラの撮像画像に対して周知の画像認識処理を施すことで、運転席における乗員の姿勢や、運転席乗員の顔の向き、瞼の開き度合い等を逐次検出する。
【００２９】
ＤＳＭ１３は、運転席に着座している乗員の顔領域を撮影するように、例えばステアリングコラムカバーや、インストゥルメントパネルの運転席に対向する部分等、適宜設計される位置に配置されていればよい。ここでは一例としてＤＳＭ１３は、運転席乗員のアイリプス部を撮像範囲に含む姿勢で、インストゥルメントパネルにおいてメータディスプレイ１５Ｂの上側に位置する部分に取り付けられているものとする。もちろん、ＤＳＭ１３は、メータディスプレイ１５Ｂの上側に位置する部分ではなく、その前面や、内部に取り付けられていてもよい。
【００３０】
アイリプス部は、運転席に着座している人物の眼の位置が分布する楕円の領域である。アイリプス部は、様々な体格の人物が、通常の運転姿勢をとっているときの目の位置を示すデータを母集団として決定されている。アイリプス部は、車種ごとに、実試験やシミュレーションによって決定される。
【００３１】
ところで、運転席乗員が、例えば足元などの下方向や、助手席が位置する横方向などといった、車両正面方向以外の方向に顔を向けている場合、近赤外カメラによる顔部の撮像量が低下し、撮像画像から目や鼻、口などの特徴点を正確に抽出できない場合がある。また、目や鼻、口などの特徴点を正確に抽出できない状態が継続した場合には、その結果として、運転席乗員の状態を推定するために必要な情報を取得できなくなってしまう場合もある。運転席乗員の状態を推定するために必要な情報とは、例えば、運転席乗員の顔の向きや瞼の開き度合いなどである。なお、車両正面方向とは車両の後端から前端に向かう方向である。
【００３２】
したがって、ＤＳＭ１３を用いて運転席乗員の状態を推定するためには、運転席乗員の顔が向いている方向と、車両正面方向とがなす角度が、ＤＳＭ１３の設置位置に応じて定まる所定の角度以内に収まっている必要がある。そのような顔の向きの角度範囲を、検出可能角度範囲と称する。検出可能角度範囲は、ＤＳＭ１３のハードウェア構成や、画像認識アルゴリズム、設置位置に応じて定まる。
【００３３】
ＤＳＭ１３は、撮影画像から特定した運転席乗員の姿勢や、顔の向き、瞼の開き度合い等を示す情報（以降、乗員状態情報）を、ＨＣＵ１０へ逐次出力する。また、ＤＳＭ１３は、顔の向きや瞼の開き度合いなどの所定の状態量を検出できていない場合には、乗員状態情報として、その旨を示すエラー情報を出力するものとする。
【００３４】
入力装置１４は、車載システム１に対する運転席乗員の指示操作を受け付けるためのデバイスである。また、入力装置１４は、後述するように運転席乗員によって車室内に持ち込まれた携帯端末３と車載システム１とが通信接続している場合には、携帯端末３に対する運転席乗員の指示操作を受け付けるためのデバイスとしても機能する。
【００３５】
本実施形態では一例として入力装置１４は、ステアリングホイールに設けられたメカニカルなスイッチ（つまり、ステアリングスイッチ）とする。入力装置１４は、運転席乗員が入力装置１４に対して実行した操作に対応する制御信号をＨＣＵ１０に出力する。ＨＣＵ１０は、入力装置１４から入力される制御信号に基づいて、運転席乗員の操作内容を特定する。
【００３６】
なお、本実施形態では入力装置１４として、ステアリングスイッチを採用する構成とするが、これに限らない。入力装置１４は、周知の音声認識技術を用いて実現される音声入力装置であってもよいし、インストゥルメントパネル上において運転操作中の運転者にとって操作しやすい位置に配置されたメカニカルなスイッチであってもよい。また、センターディスプレイ１５Ｃに積層されたタッチパネルなどであっても良い。さらには、運転席周辺に配置されたハプティックデバイスや、マウス、キーボードなどであっても良い。また、車載システム１は入力装置１４として上述した複数種類のデバイスを備えていても良い。
【００３７】
ディスプレイ１５は、ＨＣＵ１０から入力された画像を表示するデバイスである。ディスプレイ１５は、車両の正面方向を向いている運転席乗員の視界に含まれる領域のうち、運転席乗員が当該ディスプレイ１５を見ている場合であっても、顔の向きが検出可能角度範囲内に維持される位置に配置されている。
【００３８】
本実施形態における車載システム１は、ディスプレイ１５として図２に示すように、ヘッドアップディスプレイ１５Ａ、メータディスプレイ１５Ｂ、及びセンターディスプレイ１５Ｃを備えるものとする。なお、図２では、運転席が車両右側に配置されている態様を開示しているが、運転席は車両左側に設けられていても良い。種々のディスプレイ１５が請求項に記載の運転席用ディスプレイに相当する。
【００３９】
ヘッドアップディスプレイ１５Ａは、フロントガラスの運転席前方の一部分に虚像を映し出すディスプレイ１５である。前述の虚像は、インストルメントパネル内に配置された投光装置から、ウインドシールドに対して所定の情報を表した表示光を投影することで形成される。
【００４０】
メータディスプレイ１５Ｂは、インストゥルメントパネルにおいて運転席の正面に位置する領域（以降、運転席対向領域）の上部に配置されたディスプレイ１５である。また、センターディスプレイ１５Ｃは、インストゥルメントパネルの車幅方向中央部（以降、中央領域）の最上部に設けられたディスプレイである。中央領域とは、インストゥルメントパネルにおいて助手席に対向する領域（以降、助手席対向領域）と、運転席対向領域とに挟まれる領域に相当する。
【００４１】
なお、センターディスプレイ１５Ｃの位置は、中央領域の最上部に限らない。最上部よりも下方に設置されていても良い。ただし、ステアリングの回転中心よりも上側となる領域（以降、中央上方領域）に配置されていることが好ましい。
【００４２】
メータディスプレイ１５Ｂ及びセンターディスプレイ１５Ｃは、例えばフルカラー表示が可能なものであり、液晶ディスプレイ、有機ＥＬディスプレイ、プラズマディスプレイ等を用いて実現することができる。
【００４３】
インジケータ１６は、複数の発光素子（例えば発光ダイオード）を所定の発光パターンで発光させることによって、運転権限の所在に関する情報を運転席乗員に通知するデバイスである。例えばインジケータ１６は、運転権限が車載システム１と運転席乗員のどちらにあるのかや、車両制御ＥＣＵ１２が運転席乗員に運転権限を受け渡そうとしていること、運転権限を車両制御ＥＣＵ１２に受け渡し可能な状態であることなどを、それぞれの状態に対応する発光パターンで発光素子を発光させることによって運転席乗員に通知する。
【００４４】
発光パターンは、光の色や、点滅の周期等の組み合わせによって構成される。インジケータ１６は、例えばステアリングや、インストゥルメントパネルの上端部など、適宜設計される場所に設けられればよい。
【００４５】
近距離通信部１７は、運転席乗員が携帯する情報端末である携帯端末３と、所定の近距離無線通信規格に準拠した無線通信（以降、近距離通信）を実施するための通信モジュールである。ここで採用される近距離無線通信規格は、通信可能な範囲が最大でも数十メートル程度となる無線通信の規格である。近距離通信の規格としては、例えばＢｌｕｅｔｏｏｔｈ（登録商標）や、Ｗｉ−Ｆｉ（登録商標）、ＺｉｇＢｅｅ（登録商標）等を採用することができる。
【００４６】
携帯端末３は、前述の近距離通信を実施する機能（以降、近距離通信機能）を備え、かつ、通常のコンピュータを本実施形態における携帯端末３として動作させるためのアプリケーションソフト（以降、車両連携アプリとする）がインストールされているコンピュータを備える電子機器であればよい。例えば、スマートフォンや、携帯電話機、タブレット端末、ウェアラブルデバイス、携帯用音楽プレーヤ、携帯用ゲーム機等を携帯端末３として利用することができる。アプリケーションソフトウェアのことを以降ではアプリと略して記載する。
【００４７】
携帯端末３は、近距離通信機能がオンとなっている場合、自分自身に割り当てられた固有の端末番号（以降、端末ＩＤとする）を含むアドバタイズ信号を定期送信する。車載システム１は、このアドバタイズ信号を受信することで、車室内に携帯端末３が存在することを認識する。なお、他の態様として、携帯端末３は車載システム１からの要求に基づいてアドバタイズ信号を送信する態様となっていてもよい。
【００４８】
車載システム１が備える近距離通信部１７は、車室内に存在する携帯端末３と近距離通信を実施するために供される。そのため、近距離通信部１７が出力する電波の送信強度や受信感度は、車室内に存在する携帯端末３と通信可能であって、かつ、車両から離れた位置に存在する携帯端末３とは通信しない程度のレベルに適宜設定されていることが好ましい。近距離通信部１７が請求項に記載の車室内通信モジュールに相当する。
【００４９】
＜ＨＣＵ１０の概略的な構成について＞
ＨＣＵ１０は、ＣＰＵが上述の着座判定プログラムを実行することによって、図３に示す種々の機能ブロックに対応する機能を提供する。すなわち、ＨＣＵ１０は機能ブロックとして、表示処理部Ｆ１、操作受付部Ｆ２、運転モード判定部Ｆ３、顔向き取得部Ｆ４、タスク判定部Ｆ５、広域通信処理部Ｆ６、近距離通信処理部Ｆ７、及び端末制御部Ｆ８を備える。
【００５０】
なお、ＨＣＵ１０が備える機能ブロックの一部又は全部は、一つあるいは複数のＩＣ等を用いて（換言すればハードウェアとして）実現してもよい。また、ＨＣＵ１０が備える機能ブロックの一部又は全部は、ＣＰＵによるソフトウェアの実行とハードウェア部材の組み合わせによって実現してもよい。
【００５１】
表示処理部Ｆ１は、種々のディスプレイ１５における表示画面を制御する機能ブロックである。表示処理部Ｆ１の具体的な作動については別途後述する。操作受付部Ｆ２は、入力装置１４に対して実行した運転席乗員の操作に基づいて、車載システム１に対する運転席乗員の指示操作を受け付ける。また、操作受付部Ｆ２は、車載システム１との通信接続が確立している携帯端末３が存在する場合には、入力装置１４から入力される制御信号に基づいて、当該携帯端末３に対する運転席乗員の指示操作も受け付ける。
【００５２】
運転モード判定部Ｆ３は、車両制御ＥＣＵ１２から提供されるモード情報に基づいて、現在の運転モードが自動運転モードであるか手動運転モードであるかを判別する。運転モード判定部Ｆ３の判定結果は、タスク判定部Ｆ５等に逐次提供される。顔向き取得部Ｆ４は、ＤＳＭ２５から運転席乗員の姿勢や、顔の向き等を示す情報を取得する。顔向き取得部Ｆ４の取得結果はタスク判定部Ｆ５に提供される。
【００５３】
タスク判定部Ｆ５は、運転モード判定部Ｆ３の判定結果と、顔向き取得部Ｆ４が取得する運転席乗員の顔の向きに基づいて、運転者乗員が、車両外から持ち込んだツール（以降、持ち込みツール）を用いたサブタスクを実行しているか否かを判定する。持ち込みツールとしては、携帯端末３や、近距離通信機能を備えない電子機器、紙媒体の書籍、紙に印刷された資料などが想定される。
【００５４】
ここでのサブタスクとは、映画やテレビ番組等といった動画鑑賞や、音楽の視聴、ニュースの確認、ゲームをすること、写真や画像データの閲覧、ＳＮＳ（social networking service）の利用、地図参照、書籍を読むこと等といった事柄を指す。書籍には、雑誌や、コミックなども含まれるものとする。また、携帯端末３の操作それ自体もサブタスクに含まれる。
【００５５】
タスク判定部Ｆ５は、運転モード判定部Ｆ３によって車両の運転モードが自動運転モードであると判定されており、かつ、運転席乗員が予め定義されているサブタスク方向に顔を向けた状態が一定時間（例えば１０秒）継続した場合に、運転席乗員はサブタスクを実行していると判定する。サブタスク方向は、例えば下方向や助手席の方向など、運転者乗員が車両外から持ち込んだツール（以降、持ち込みツール）を用いたサブタスクを実行している状態の顔の向きに相当する。
【００５６】
例えばタスク判定部Ｆ５は、運転席乗員の顔の向きが、車両正面方向に対して所定の角度（例えば４０度）以上下方向や助手席方向となっている場合に、運転席乗員がサブタスク方向を見ていると判定する。さらに、タスク判定部Ｆ５は、ＤＳＭ１３からエラー情報が提供された場合にも、運転席乗員はサブタスク方向に顔を向けていると判定すればよい。
【００５７】
なお、他の態様としてタスク判定部Ｆ５は、運転席乗員の顔の向きが、車両前方でも、サイドミラーが設けられている方向でも、ディスプレイ１５が配置されている方向でもない場合に、運転席乗員はサブタスク方向に顔を向けていると判定してもよい。車両前方を見ている場合の運転席乗員の顔の向きや、サイドミラーが設けられている方向を見ている場合の運転席乗員の顔の向き、ディスプレイ１５を見ている時の運転席乗員の顔の向きは予め定義されていればよい。
【００５８】
また、タスク判定部Ｆ５は、運転モード判定部Ｆ３によって車両の運転モードが自動運転モードであると判定されており、かつ、後述する携帯端末検出部Ｆ７１によって携帯端末３が検出されていない状態において、さらに、運転席乗員がサブタスク方向に顔を向けた状態が一定時間継続した場合に、運転席乗員は独立サブタスクを実行していると判定する。
【００５９】
独立サブタスクは、近距離通信機能を備えない電子機器や、近距離通信機能がオフとなっている携帯端末３を用いたサブタスクの実行や、紙媒体の書籍を読むこと、紙に印刷された資料を読むこと、筆記用具を用いてメモを取ること等である。
【００６０】
広域通信処理部Ｆ６は、広域通信部１１が受信したデータを取得する。また、広域通信処理部Ｆ６は、他の機能ブロックからの要求に基づいて、所定の通信パケットを生成し、当該通信パケットを広域通信部１１に送信させる処理を行う。
【００６１】
近距離通信処理部Ｆ７は、近距離通信部１７が受信したデータを取得する。また、近距離通信処理部Ｆ７は、携帯端末３宛のデータを生成し、当該データを近距離通信部１７に送信させる。つまり、近距離通信処理部Ｆ７は、ＨＣＵ１０において携帯端末３とのデータの送受信を実行する機能ブロックである。近距離通信処理部Ｆ７が請求項に記載の車室内通信処理部に相当する。この近距離通信処理部Ｆ７は、より細かい機能として、携帯端末検出部Ｆ７１と接続処理部Ｆ７２を備える。
【００６２】
携帯端末検出部Ｆ７１は、車室内に存在する携帯端末３を検出する機能ブロックである。携帯端末検出部Ｆ７１は、アドバタイズ信号を受信したことに基づいて、携帯端末３が車室内に存在することを検出する。アドバタイズ信号を受信したということは、車室内に携帯端末３が存在することを意味するためである。また、受信したアドバタイズ信号に含まれる端末ＩＤを、図示しないＲＡＭ等に保存する。
【００６３】
接続処理部Ｆ７２は、携帯端末検出部Ｆ７１によって検出された携帯端末３との通信接続を確立させる機能ブロックである。本実施形態では一例として接続処理部Ｆ７２は、過去に車載システム１が接続したことがある携帯端末３が携帯端末検出部Ｆ７１によって検出されている場合、当該携帯端末３との通信接続を自動的に確立させる。通信接続したことがある端末ＩＤの履歴は、書き換え可能な不揮発性の記憶媒体（例えばフラッシュメモリ）に保存されていればよい。便宜上以降において車室内に存在し、且つ、接続処理部Ｆ７２によって通信接続が確立されている携帯端末３のことを接続済み端末とも記載する。
【００６４】
端末制御部Ｆ８は、接続済み端末の動作を制御する機能ブロックであり、主として、運転席乗員が入力装置１４及びディスプレイ１５を介して携帯端末３が備える機能（換言すればアプリ）を利用するための処理を実行する。
【００６５】
具体的には、端末制御部Ｆ８は、接続済み端末においてアクティブになっているアプリに対応する画面をディスプレイに表示するための画像データを接続済み端末から取得し、表示処理部Ｆ１に提供する。これによって、ディスプレイ１５には、接続済み端末においてアクティブとなっているアプリの画面が表示される。
【００６６】
また、端末制御部Ｆ８は、操作受付部Ｆ２と協働して、携帯端末３に対する運転席乗員の指示操作を受け付けて、その指示操作の内容を示す操作内容信号を接続済み端末に転送する。接続済み端末は、転送されてきた操作内容信号に応じた処理を実行し、その処理結果として新たにディスプレイ１５に表示するための画像データを出力する。なお、前述のアプリ情報取得部Ｆ８１は、端末制御部Ｆ８が備えるサブ機能であっても良い。
【００６７】
このような構成によって、運転席乗員は、通話アプリや、メールアプリ、ウェブブラウザアプリ等の、携帯端末３にインストールされている種々のアプリが提供する機能を、携帯端末３を直接的に操作すること無く利用することができる。つまり、携帯端末３を用いたサブタスクを、ディスプレイ１５に顔を向けたまま実施することができる。
【００６８】
なお、ここでの通話アプリとは、電話の発着信に関連する機能を提供するアプリであり、メール機能とは、電子メールの作成や、受信したメールの音声読み上げ等の送受信処理に関連する機能を提供するアプリである。ウェブブラウザアプリとは、インターネット上のＷｅｂサイトを閲覧する機能を提供するアプリを指す。
【００６９】
また、端末制御部Ｆ８は、上述した種々の処理を実行するためのサブ機能として、アプリ情報取得部Ｆ８１を備える。アプリ情報取得部Ｆ８１は、近距離通信処理部Ｆ７と協働して、接続済み端末において実行されているアプリの情報（以降、アプリ情報）を取得する。具体的には、アプリ情報取得部Ｆ８１は、アプリ情報の提供を要求する通信パケットを接続済み端末に送信する。通信パケットの生成及び接続済み端末への送信は、近距離通信処理部Ｆ７と近距離通信部１７との協働によって実現される。そして、アプリ情報取得部Ｆ８１は、その通信パケットに対する応答として接続済み端末から返送されるアプリ情報を、近距離通信部１７及び近距離通信処理部Ｆ７を介して取得する。なお、前述の車両連携アプリは、ＨＣＵ１０からの要求に対応する処理を実行し、その処理結果をＨＣＵ１０に返送するアプリケーションソフトウェアに相当する。
【００７０】
本実施形態では一例として、アプリ情報は、接続済み端末において起動中の全てのアプリについてのデータを含む情報とする。携帯端末３において起動中のアプリには、バックグラウンドで動作しているアプリも含まれる。
【００７１】
或るアプリについてのデータは、少なくともアプリ名を含むものとする。また、本実施形態ではより好ましい態様として、そのアプリに対応する画面（以降、アプリ画面）をディスプレイ１５に表示するための画像データを含むものとする。アプリ画面は、そのアプリの実行状態を表すとともに、そのアプリに対する指示を入力するための情報を表示した画面である。アプリ画面として表示される画像が請求項に記載のアプリ画像に対応する。
【００７２】
なお、本実施形態では一例として、アプリ情報は、起動中の全てのアプリについてのデータを含むものとするが、これに限らない。アプリ情報は、携帯端末３において起動中となっている種々のアプリのうち、最後にユーザによる操作が行われたアプリ（以降、直近操作アプリ）についてのデータだけを含むものであってもよい。なお、携帯端末３にとってのユーザとは当該携帯端末３の所持者であって、ここでは運転席乗員が携帯端末３のユーザに相当する。
【００７３】
＜モード遷移時表示処理＞
次に図４に示すフローチャートを用いて、ＨＣＵ１０が実施するモード遷移時表示処理について説明する。モード遷移時表示処理は、運転モードが手動運転モードから自動運転モードへと遷移したときに、ユーザがこれから実施すると想定されるサブタスクに対応／関連する画面（以降、サブタスク画面）をディスプレイ１５に表示する処理である。
【００７４】
図４に示すフローチャートは、運転モードが手動運転モードから自動運転モードに切り替わった時に開始されればよい。運転モードの切り替わりは、運転モード判定部Ｆ３が車両制御ＥＣＵ１２から提供されるモード情報に基づいて検出する。
【００７５】
まずステップＳ１００では接続処理部Ｆ７２が、携帯端末検出部Ｆ７１の検出結果に基づき、車室内に携帯端末３が存在するか否かを判定する。携帯端末検出部Ｆ７１によって携帯端末３が検出されている場合にはステップＳ１００が肯定判定されてステップＳ１０２に移る。一方、携帯端末検出部Ｆ７１によって携帯端末３が検出されていない場合には、ステップＳ１００が否定判定されたステップＳ１１０に移る。
【００７６】
ステップＳ１０２では接続処理部Ｆ７２が、検出済みの携帯端末３との通信接続を確立してステップＳ１０４に移る。なお、このステップＳ１０２で通信接続を確立する携帯端末３は、過去に通信接続を実施したことがある携帯端末３であることが好ましい。過去に接続したことがない携帯端末３しか検出されていない場合には、ユーザに対して通信接続を確立するか否かを選択させるものとする。もちろん、他の態様として、接続処理部Ｆ７２は過去の接続履歴の有無に関わらずに車室内に存在する携帯端末３と通信接続を確立してもよい。また、携帯端末３との接続処理は、運転席乗員から車両制御ＥＣＵ１２に運転権限を移譲する処理を実行しているとき等、本フローの開始前に実行されていても良い。
【００７７】
ステップＳ１０４ではアプリ情報取得部Ｆ８１が、ステップＳ１０２で通信接続が確立された携帯端末３（つまり接続済み端末）からアプリ情報を取得してステップＳ１０６に移る。ステップＳ１０６では表示処理部Ｆ１が、ステップＳ１０４で取得したアプリ情報に基づいて、直近操作アプリに対応する画面をディスプレイ１５に表示して本フローを終了する。
【００７８】
直近操作アプリは、携帯端末３において起動中となっている種々のアプリのうち、最後にユーザ操作が行われたアプリである。換言すれば、ユーザの手動運転の開始に伴って操作が中断されたアプリに相当する。そのため、直近操作アプリに対応する画面をディスプレイ１５に表示することによって、運転席乗員は中断していた操作の続きを、ディスプレイ１５及び入力装置１４を介して実施することができる。
【００７９】
また、ディスプレイ１５は、ユーザがディスプレイ１５を見ている場合であっても、顔の向きが検出可能角度範囲内に維持される位置に配置されている。そのため、運転モードが手動運転モードから自動運転モードへ切り替わったタイミングにおいて、ディスプレイ１５に直近操作アプリの画面を表示することで、ユーザの顔の向きを検出可能角度範囲に向けた状態を維持することができる。
【００８０】
なお、表示処理部Ｆ１がアプリ画面を表示するディスプレイ１５は、ヘッドアップディスプレイ１５Ａ、メータディスプレイ１５Ｂ、センターディスプレイ１５Ｃの何れであってもよい。いずれのディスプレイ１５も、検出可能角度範囲内となる領域に配置されているためである。
【００８１】
ここでは一例として、表示処理部Ｆ１はアプリ画面をメータディスプレイ１５Ｂに表示するものとするが、アプリ画面の出力先とするディスプレイ１５は適宜設計されればよい。また、アプリ画面の出力先とするディスプレイ１５はユーザによって切り替えられても良い。なお、接続済み端末の画面には、ディスプレイ１５に同様の画面が表示されていることを示すメッセージ等が出力されることが好ましい。
【００８２】
ステップＳ１１０では表示処理部Ｆ１がディスプレイ１５（例えばセンターディスプレイ１５Ｃ）にメニュー画面を表示してステップＳ１１２に移る。メニュー画面は、車室内においてユーザが利用可能な複数の機能から、ユーザが利用したい機能を選択するための画面である。車室内においてユーザが利用可能な機能とは、例えば、空調装置の動作を制御する空調機能や、目的地の設定や現在位置の確認に供されるナビゲーション機能、楽曲データの再生処理を実施する音楽視聴機能などである。なお、車室内においてユーザが利用可能な機能には、接続済み端末にインストールされている種々のアプリに対応する機能が含まれていてもよい。メニュー画面は、ユーザが利用可能な複数の機能の一覧を表した画面であって、例えば、ユーザが利用可能な複数の機能のそれぞれに対応するアイコン画像が配された画面とすればよい。
【００８３】
ステップＳ１１２では操作受付部Ｆ２が、車室内においてユーザが利用可能な複数の機能の中から、何れかを選択する操作（以降、機能選択操作）を受け付けたか否かを判定する。機能選択操作を受け付けた場合には、ステップＳ１１２が肯定判定されてステップＳ１１４に移り、選択された機能に対応する画面をディスプレイ１５に表示して本フローを終了する。一方、メニュー画面を表示してから一定時間経過しても機能選択操作を受け付けなかった場合には、ステップＳ１２０に移る。
【００８４】
ステップＳ１２０ではタスク判定部Ｆ５が、ユーザの顔の向きに基づいて、サブタスクを実行しているか否かを判定する。すなわち、運転席乗員がサブタスク方向に顔を向けた状態が一定時間継続した場合に、ユーザがサブタスクを実行していると判定する。その他の場合には、サブタスクを実行していないと判定すればよい。ユーザがサブタスクを実行していると判定した場合にはステップＳ１２２に移る。一方、サブタスクを実行していないと判定した場合には、本フローを終了する。
【００８５】
ステップＳ１２２では表示処理部Ｆ１が、サブタスク情報の入力を要求するサブタスク情報入力画面をディスプレイ１５に表示する。サブタスク情報は、運転席乗員が実行しているサブタスクの内容を表す情報であって、検索サーバ２がインターネット上の情報を検索する際に用いるキーワード（つまり検索ワード）として機能する情報である。仮に運転席乗員が実行しているサブタスクが読書である場合には、その書籍のタイトルなどがサブタスク情報に該当する。サブタスク情報は、運転席乗員が入力装置１４を操作することによって入力される。
【００８６】
ステップＳ１２４では操作受付部Ｆ２が、入力装置１４から入力される制御信号に基づいて、サブタスク情報を取得してステップＳ１２６に移る。このステップＳ１２４及び後述するステップＳ２２２を実行する操作受付部Ｆ２が請求項に記載のサブタスク情報取得部に相当する。なお、サブタスク情報の入力を受け付ける状態に遷移してから（換言すれば、サブタスク情報入力画面を表示してから）、所定の入力待機時間経過しても、入力装置１４が操作されなかった場合には、タイムアウト判定して本フローを終了する。
【００８７】
ステップＳ１２６では広域通信処理部Ｆ６が、検索サーバ２に対し、サブタスク情報を検索ワードとした検索処理を実行するように要求する通信パケット（以降、検索要求メッセージ）を送信し、その検索結果を取得する。ステップＳ１２６での処理が完了するとステップＳ１２８に移る。
【００８８】
ステップＳ１２８では表示処理部Ｆ１が、検索結果を示す画面をディスプレイ１５に表示して、本フローを終了する。仮に検索結果として、運転席乗員が実行しているサブタスクと同じ内容を示すデジタルコンテンツや、サブタスクに関連するデジタルコンテンツが検索結果として発見されている場合、運転席乗員は、ディスプレイ１５及び入力装置１４を介して当該デジタルコンテンツを利用することができる。
【００８９】
なお、ここでのデジタルコンテンツとは、デジタルデータで表現された映画や、テレビ番組、映像作品、電子書籍、楽曲、画像、テキスト、ゲーム等、アプリ等である。また、デジタルコンテンツには、データそのものだけでなく、所定のサービスプロバイダによって提供されるインターネット上のサービス（例えばスケジュール管理サービス）も含まれるものとする。
【００９０】
＜サブタスク画面提供処理＞
次に図５に示すフローチャートを用いて、ＨＣＵ１０が実施するサブタスク画面提供処理について説明する。サブタスク画面提供処理は、運転モードが自動運転モードとなっている状況において、タスク判定部Ｆ５によって運転席乗員がサブタスクを実行していると判定した場合に、そのサブタスクに対応／関連する画面をディスプレイ１５に表示するための処理である。
【００９１】
図５に示すフローチャートは、車両の走行用電源（例えばイグニッション電源）がオンとなっている場合に逐次（例えば１秒毎に）実行されればよい。まずステップＳ２００では運転モード判定部Ｆ３が、車両制御ＥＣＵ１２から提供されるモード情報に基づいて、現在の運転モードが自動運転モードであるか否かを判定する。現在の運転モードが自動運転モードである場合にはステップＳ２００が肯定判定されてステップＳ２０２に移る。一方、現在の運転モードが手動運転モードである場合にはステップＳ２００が否定判定されて本フローを終了する。
【００９２】
ステップＳ２０２ではタスク判定部Ｆ５が、顔向き取得部Ｆ４によって取得されているＤＳＭ１３の検出結果に基づいて運転席乗員がサブタスクを実行しているか否かを判定する。サブタスクを実行していると判定した場合には、ステップＳ２０２が肯定判定されてステップＳ２０４に移る。一方、サブタスクを実行していないと判定した場合にはステップＳ２０２が否定判定されて本フローを終了する。
【００９３】
ステップＳ２０４では接続処理部Ｆ７２が、前述のステップＳ１００と同様に、携帯端末３が車室内に存在するか否かを判定する。携帯端末検出部Ｆ７１によって携帯端末３が検出されている場合にはステップＳ２０６に移る。一方、携帯端末検出部Ｆ７１によって携帯端末３が検出されていない場合にはステップＳ２１０に移る。
【００９４】
ステップＳ２０６では端末制御部Ｆ８が、携帯端末３からアプリ情報を取得し、直近操作アプリに対応するアプリ画面をディスプレイ１５に表示して本フローを終了する。なお、ステップＳ２０６に移った時点において携帯端末３との通信接続が確立されていない場合にはこの時点において通信接続を確立させればよい。
【００９５】
ステップＳ２１０では表示処理部Ｆ１がメニュー画面を所定のディスプレイ１５に表示してステップＳ２１２に移る。ステップＳ２１２では操作受付部Ｆ２が機能選択操作を受け付けたか否かを判定する。機能選択操作を受け付けた場合には、ステップＳ２１２が肯定判定されてステップＳ２１４に移り、選択された機能に対応する画面をディスプレイ１５に表示して本フローを終了する。一方、メニュー画面を表示してから一定時間経過しても機能選択操作を受け付けなかった場合には、ステップＳ２２０に移る。
【００９６】
ステップＳ２２０では表示処理部Ｆ１がサブタスク情報入力画面をディスプレイ１５に表示してステップＳ２２２に移る。ステップＳ２２２では操作受付部Ｆ２が、入力装置１４に対する運転席乗員の操作に基づいて、サブタスク情報を取得してステップＳ２２４に移る。なお、サブタスク情報入力画面を表示してから所定の入力待機時間経過しても入力装置１４が操作されなかった場合には、タイムアウト判定して本フローを終了する。
【００９７】
ステップＳ２２４では広域通信処理部Ｆ６が、検索サーバ２に対して検索要求メッセージを送信し、その検索結果を取得する。ステップＳ２２４での処理が完了するとステップＳ２２６に移る。ステップＳ２２６では表示処理部Ｆ１が、検索結果を示す画面をディスプレイ１５に表示して、本フローを終了する。
【００９８】
＜実施形態のまとめ＞
以上の構成では、手動運転モードから自動運転モードに切り替わったタイミングにおいて、運転席乗員が実行しうるサブタスクに関連する情報をディスプレイ１５に表示する。具体的には、運転席乗員によって車室内に携帯端末３が持ち込まれている場合には、当該携帯端末３における直近操作アプリの画面をディスプレイ１５に表示する。
【００９９】
また、ステップＳ１２０において運転席乗員がサブタスクを実行している判定した場合には、乗員の操作に基づいて取得したサブタスク情報に関連するデジタルコンテンツをインターネット上から取得してディスプレイ１５に表示する。
【０１００】
上述したように、ヘッドアップディスプレイ１５Ａ、メータディスプレイ１５Ｂ、及びセンターディスプレイ１５Ｃといった種々のディスプレイ１５は何れも、運転席乗員が車両の正面方向に顔を向けた姿勢となっている運転席乗員の視界に入る位置に配置されている。そのため、運転席乗員がこれらのディスプレイ１５の何れかに顔を向けている場合であっても、運転席乗員の顔が或る程度車両前方を向いており、車両前方の交通状況を有効視野や安定注視野で捉えた状態を維持することができる。
【０１０１】
なお、有効視野は事物の認識できる範囲であって、一般的に、注視点を中心として水平方向に±３５度，垂直方向に±３０度となる範囲と言われている。また、安定注視野は、注視点を移動させた場合であっても焦点が迅速に安定する範囲であって、水平方向で±８０度、垂直方向で±６０度以下となる楕円形状の範囲である。
【０１０２】
特に本実施形態におけるヘッドアップディスプレイ１５Ａ、メータディスプレイ１５Ｂ、及びセンターディスプレイ１５Ｃといった種々のディスプレイ１５は何れも、ディスプレイ１５の表示内容を見ている運転席乗員の顔の向きが検出可能角度範囲内に維持される位置に配置されている。したがって、運転モードが手動運転モードから自動運転モードへ切り替わった後においても、運転席乗員が検出可能角度範囲に顔を向けた状態を維持することができる。
【０１０３】
さらに、自動運転モードとなっている間もタスク判定部Ｆ５によって運転席乗員がサブタスクを実行しているか否かを判定する（ステップＳ２０２）。そして、タスク判定部Ｆ５によって運転席乗員がサブタスクを実行していると判定された場合には、運転席乗員によって車室内に持ち込まれている携帯端末３において実行中となっているアプリの画面や、運転席乗員が実行しているサブタスクに関連する情報をディスプレイ１５に表示する。
【０１０４】
つまり、手動運転モードから自動運転モードに切り替わったタイミングだけでなく、自動運転モードに移行してから暫く経過したタイミングにおいても、ディスプレイ１５の表示内容を運転席乗員が実施しているサブタスクに対応する画面を表示するための処理を実行する。したがって、自動運転モードで走行している間も、運転席乗員が検出可能角度範囲に顔を向けた状態を維持することが期待できる。
【０１０５】
以上、本発明の実施形態を説明したが、本発明は上述の実施形態に限定されるものではなく、以降で述べる種々の変形例も本発明の技術的範囲に含まれ、さらに、下記以外にも要旨を逸脱しない範囲内で種々変更して実施することができる。
【０１０６】
なお、前述の実施形態で述べた部材と同一の機能を有する部材については、同一の符号を付し、その説明を省略する。また、構成の一部のみに言及している場合、他の部分については先に説明した実施形態の構成を適用することができる。
【０１０７】
［変形例１］
種々のディスプレイ１５は、車両正面方向に顔を向けた姿勢となっている運転席乗員の視界に含まれる領域の中でも、特に、有効視野に含まれる位置に配置されたディスプレイであることが好ましい。自車両の正面方向に顔を向けている運転席乗員の有効視野に含まれる領域とは、例えば、運転席のヘッドレストの中心から車両正面方向の伸びる線分に対して所定の角度（例えば３５度）以内となる領域とする。ここでの所定角度は、人間の平均的な有効視野を形成する角度範囲に基づいて定めればよい。
【０１０８】
なお、視野特性は当然のことながら個人毎に異なる。ディスプレイ１５の設置位置は、平均的な視野特定に基づいて決定されればよい。なお、図２に開示する種々のディスプレイ１５は何れも、車両正面方向に顔を向けた姿勢となっている運転席乗員の有効視野に含まれる位置に配置されている態様を表している。
【０１０９】
このような態様では、サブタスク画面が表示されるディスプレイ１５は、車両の正面方向に顔を向けた姿勢となっている運転席乗員の視界に入る位置に配置されている。そのため、運転席乗員がこれらのディスプレイ１５の何れかに顔を向けている場合であっても、車両前方の車室外領域を有効視野又は周辺視野で捉えた状態が維持される。また、完全に下方向や助手席方向に顔を向けた状態とはならないため、ＤＳＭ１３によって、運転席乗員の顔部を一定量以上撮像できる状態が維持されている。
【０１１０】
さらに、運転席乗員は、ディスプレイ１５を見ている状態からより少ない視線移動によって、車両前方を視認することができる。すなわち、自動運転時に車両前方を確認するための視線移動量は少なくなり、焦点調整負荷を軽減し、安全性を向上させることができる。
【０１１１】
なお、他の態様として、車両正面方向に顔を向けた姿勢となっている運転席乗員の安定注視野に含まれる位置に配置されているディスプレイをディスプレイ１５として採用してもよい。
【０１１２】
［変形例２］
上述した実施形態では、運転席乗員が実施しているサブタスクに関連する情報として、検索サーバ２の検索結果を表示する態様としたが、これに限らない。図６に示すように、広域通信網に接続する種々の外部装置の中に、運転席乗員が所有するデジタルコンテンツを管理するサーバであるコンテンツ管理サーバ４が存在する場合、ＨＣＵ１０は当該コンテンツ管理サーバ４から運転席乗員が入力したサブタスク情報に対応するデジタルコンテンツのデータを取得し、ディスプレイ１５に表示する態様としてもよい（このような態様を変形例２とする）。
【０１１３】
コンテンツ管理サーバ４は、運転席乗員が所有するデジタルコンテンツについての情報を、運転席乗員に付与されているユーザＩＤと対応付けて保存している。ユーザＩＤは、コンテンツ管理サーバ４を利用する複数の人物のそれぞれを識別するための文字列（数字列を含む）である。
【０１１４】
コンテンツ管理サーバ４は、運転席乗員が所有するデジタルコンテンツを格納しているデータベースと接続されており、車載システム１から要求されたデジタルコンテンツのデータ（以降、コンテンツデータ）を車載システム１に送信する。なお、車載システム１に対するコンテンツデータの配信は、そのデジタルコンテンツのデータ配信サービスを提供するサービスプロバイダによって実施されても良い。つまり、コンテンツ管理サーバ４は、運転席乗員が利用しているサービス等を一元管理する存在であっても良い。
【０１１５】
変形例２におけるＨＣＵ１０は、運転席乗員が入力したサブタスク情報に対応するデジタルコンテンツのデータをコンテンツ管理サーバ４から取得する機能ブロックとして、図６に示すようにコンテンツデータ取得部Ｆ９を備える。コンテンツデータ取得部Ｆ９は、ステップＳ１２４やＳ２２２において操作受付部Ｆ２がサブタスク情報を取得した場合に、当該サブタスク情報に対応するデジタルコンテンツを運転席乗員が保有しているか否かをコンテンツ管理サーバ４に問い合わせる。そして、当該問い合わせの結果、入力されたサブタスク情報に対応するデジタルコンテンツが存在した場合には当該コンテンツのデータをコンテンツ管理サーバ４から取得し、ディスプレイ１５に表示する。
【０１１６】
また、問い合わせの結果、入力されたサブタスク情報に対応するデジタルコンテンツが存在しなかった場合には、ＨＣＵ１０は、前述の実施形態と同様に検索サーバ２での検索結果画面を表示する。
【０１１７】
なお、サブタスク情報に対応するデータを検索サーバ２から取得するか、コンテンツ管理サーバ４から取得するかは、サブタスク情報を入力する際に運転席乗員によって指定されても良い。例えば表示処理部Ｆ１は、サブタスク情報入力画面として、図７に示すようにコンテンツ管理サーバ４による検索の実行命令を受け付けるためのボタンＢ１と、検索サーバ２による検索の実行命令を受け付けるためのボタンＢ２とを含む画面を表示する。そして、広域通信処理部Ｆ６は、運転席乗員によって選択されたボタンに対応するサーバを対象とした通信パケットを生成して送信する。
【０１１８】
このような態様によれば、コンテンツ管理サーバ４に保存しているデータ（例えば個人的なスケジュールを記録したデータ）などに、ディスプレイ１５や入力装置１４を介してアクセスすることができる。したがって、自動運転中において運転席乗員がディスプレイ１５を用いてサブタスクを実施する可能性をより一層高めることができる。それに伴い、車載システム１が前述の実施形態や変形例１で述べた効果を奏する可能性をより一層高めることができる。
【０１１９】
［その他種々の変形例］
表示処理部Ｆ１は、運転モードが手動運転モードから自動運転モードへと遷移した時点において携帯端末検出部Ｆ７１が携帯端末３を検出できていない場合には、携帯端末３の近距離通信機能をオンに設定して、車載システム１（具体的には近距離通信部１７）との通信接続を案内する接続ガイド画面をディスプレイ１５に表示してもよい。そのような態様によれば、携帯端末３の近距離通信機能がオフに設定されていることに起因してアプリ画面をディスプレイ１５に表示できなくなってしまう恐れを低減することができる。
【０１２０】
また、以上では、携帯端末３と車載システム１とが無線接続する態様を開示したが、これに限らない。携帯端末３と車載システム１とは有線接続する態様であってもよい。有線接続するための通信モジュールもまた、請求項に記載の車室内通信モジュールに相当する。
【０１２１】
さらに、上述したステップＳ１０６やＳ２０６では、所定のディスプレイ１５にアプリ画面を予告なく表示する態様を開示したが、これに限らない。表示処理部Ｆ１は、アプリ画面のデータを取得できた場合には、いったんアプリ画面を表示するか否かの選択を促す表示確認画面を表示する。そして、運転席乗員によってアプリ画面を表示させる旨の選択操作を操作受付部Ｆ２が受け付けてから、実際にディスプレイ１５にアプリ画面を表示する態様を採用してもよい。
【符号の説明】
【０１２２】
１  車載システム、２  検索サーバ、３  携帯端末、４  コンテンツ管理サーバ、１０  ＨＣＵ、１１  広域通信部、１２  車両制御ＥＣＵ、１３  ＤＳＭ、１４  入力装置、１５  ディスプレイ、１５Ａ  ヘッドアップディスプレイ、１５Ｂ  メータディスプレイ、１５Ｃ  センターディスプレイ、１６  インジケータ、１７  近距離通信部、Ｆ１  表示処理部、Ｆ２  操作受付部、Ｆ３  運転モード判定部、Ｆ４  家屋向き特定部、Ｆ５  タスク判定部、Ｆ６  広域通信処理部、Ｆ７  近距離通信処理部、Ｆ７１  携帯端末検出部、Ｆ７２  接続処理部、Ｆ８  端末制御部、Ｆ８１  アプリ情報取得部、Ｆ９  コンテンツデータ取得部
【図１】
2017222271.tif 000003
【図２】
2017222271.tif 000004
【図３】
2017222271.tif 000005
【図４】
2017222271.tif 000006
【図５】
2017222271.tif 000007
【図６】
2017222271.tif 000008
【図７】
2017222271.tif 000009